(57)【要約】【課題】空洞共鳴音を抑制すると共に生産性の向上を図ることができる空気入りタイヤの製造方法を提供する。【解決手段】タイヤ内面１ａに吸音部材１０が取り付けられた空気入りタイヤ１の製造方法は、円筒状に形成されると共に外面１２及び内面１１から内面側及び外面側にそれぞれ径方向に延びる複数の切込部２２，２１が設けられて切込部２２，２１が周方向に開口されることにより径方向に拡張可能に形成された吸音部材１０を準備し、吸音部材１０を空気入りタイヤ１の内部に挿入し、吸音部材１０を径方向に拡張させて空気入りタイヤ１のタイヤ内面１ａに取り付ける。【選択図】図１
2020097333.tif 000002
【特許請求の範囲】
【請求項１】
タイヤ内面に吸音部材が取り付けられた空気入りタイヤの製造方法であって、
円筒状に形成される共に外面及び内面から内面側及び外面側にそれぞれ径方向に延びる複数の切込部が設けられて前記切込部が周方向に開口されることにより径方向に拡張可能に形成された吸音部材を準備し、
前記吸音部材を空気入りタイヤの内部に挿入し、
前記吸音部材を径方向に拡張させて前記空気入りタイヤのタイヤ内面に取り付ける
空気入りタイヤの製造方法。
【請求項２】
空気入りタイヤのタイヤ内面に取り付けられる吸音部材であって、
円筒状に形成されると共に外面及び内面から内面側及び外面側にそれぞれ径方向に延びる複数の切込部が設けられて前記切込部が周方向に開口されることにより径方向に拡張可能に形成されている  
吸音部材。
【請求項３】
前記吸音部材は、前記空気入りタイヤのビード部の内径より小さい外径を有する
請求項２に記載の吸音部材。
【請求項４】
前記吸音部材は、前記空気入りタイヤの断面高さに対する前記吸音部材の拡張後の径方向高さの割合が０．１５以上０．４５以下であるように形成されている、
請求項２又は請求項３に記載の吸音部材。
【請求項５】
前記切込部は、前記吸音部材の径方向一方側の面から径方向他方側に、前記吸音部材の径方向他方側の面との離間距離が少なくとも５ｍｍ以上であるように延びている
請求項２から請求項４の何れか１項に記載の吸音部材。
【請求項６】
前記切込部は、平面形状である二次元形状に形成されている
請求項２から請求項５の何れか１項に記載の吸音部材。
【請求項７】
前記切込部は、曲面形状である三次元形状に形成されている
請求項２から請求項５の何れか１項に記載の吸音部材。
【発明の詳細な説明】
【技術分野】
【０００１】
本発明は、空気入りタイヤの製造方法及び吸音部材に関する。
【背景技術】
【０００２】
車両が荒れた路面を走行するときや路面の継ぎ目を通過するときなどに生じるタイヤ接地面からの振動によってタイヤ内部の空気による空洞共鳴音が発生することが知られている。空洞共鳴音は、車室内の騒音の原因となることから、空洞共鳴音を抑制することが行われている。
【０００３】
空洞共鳴音を抑制するものとして、例えば特許文献１には、帯状の吸音部材に側方スリットを設けて吸音部材をドラムに巻き付けた後にドラムを拡径させることにより、側方スリットの開口によって吸音部材を伸張させて空気入りタイヤのタイヤ内面に取り付けるようにした空気入りタイヤが開示されている。
【先行技術文献】
【特許文献】
【０００４】
【特許文献１】特開２００８−２５４３３９号公報
【発明の概要】
【発明が解決しようとする課題】
【０００５】
しかしながら、前記特許文献１に記載のものは、タイヤ内面に取り付けられる吸音部材に側方スリットの開口が形成されることから、吸音部材による空洞共鳴音の抑制について改善の余地がある。また、前記特許文献１に記載のものは、帯状の吸音部材をドラムに巻き付けて環状に形成することから、生産性の低下を引き起こし得る。
【０００６】
そこで、本発明は、空洞共鳴音を抑制すると共に生産性の向上を図ることができる空気入りタイヤの製造方法及び吸音部材を提供することを課題とする。
【課題を解決するための手段】
【０００７】
本発明は、タイヤ内面に吸音部材が取り付けられた空気入りタイヤの製造方法であって、円筒状に形成される共に外面及び内面から内面側及び外面側にそれぞれ径方向に延びる複数の切込部が設けられて前記切込部が周方向に開口されることにより径方向に拡張可能に形成された吸音部材を準備し、前記吸音部材を空気入りタイヤの内部に挿入し、前記吸音部材を径方向に拡張させて前記空気入りタイヤのタイヤ内面に取り付ける空気入りタイヤの製造方法を提供する。
【０００８】
本発明によれば、吸音部材は、切込部が周方向に開口されることにより径方向に拡張されてタイヤ内面に取り付けられるので、タイヤ内面に吸音部材が取り付けられた空気入りタイヤは、略円筒状に形成された吸音部材によってタイヤ接地面からの振動が低減されてタイヤ接地面からの振動によって生じるタイヤ内部の空気の振動による音が低減される。また、この低減されたタイヤ内部の空気の振動による音が放射状に伝播される際に、吸音部材の内面に形成された切込部が開口されることによってタイヤ周方向に形成される凹凸によっても音を低減することができ、空洞共鳴音を抑制することができる。
【０００９】
また、空気入りタイヤの製造時に、円筒状に形成されると共に外面及び内面から径方向に延びる複数の切込部が設けられた吸音部材を空気入りタイヤの内部に挿入した後に、吸音部材を径方向に拡張させてタイヤ内面に取り付けるので、比較的容易に製造することができ、生産性の向上を図ることができる。
【００１０】
本発明はまた、空気入りタイヤのタイヤ内面に取り付けられる吸音部材であって、円筒状に形成されると共に外面及び内面から内面側及び外面側にそれぞれ径方向に延びる複数の切込部が設けられて前記切込部が周方向に開口されることにより径方向に拡張可能に形成されている吸音部材を提供する。
【００１１】
本発明によれば、吸音部材を空気入りタイヤの内部に挿入した後に、吸音部材を径方向に拡張させてタイヤ内面に取り付けて空気入りタイヤを製造することができる。タイヤ内面に吸音部材が取り付けられた空気入りタイヤは、略円筒状に形成された吸音部材によってタイヤ接地面からの振動が低減されてタイヤ接地面からの振動によって生じるタイヤ内部の空気の振動による音が低減される。また、この低減されたタイヤ内部の空気の振動による音が放射状に伝播される際に、吸音部材の内面に形成された切込部が開口されることによってタイヤ周方向に形成される凹凸によっても音を低減することができ、空洞共鳴音を抑制することができる。
【００１２】
また、空気入りタイヤの製造時に、円筒状に形成された吸音部材を径方向に拡張可能に構成されたドラムに取り付けて空気入りタイヤの内部に挿入した後に径方向に拡張させることでタイヤ内面に取り付けることができ、比較的容易に製造することができ、生産性の向上を図ることができる。
【００１３】
前記吸音部材は、空気入りタイヤのビード部の内径より小さい外径を有することが好ましい。
【００１４】
本構成によれば、吸音部材を空気入りタイヤの内部に吸音部材を変形することなしに挿入することができるので、吸音部材をタイヤ内面に比較的容易に取り付けることができ、生産性の向上を図ることができる。
【００１５】
前記吸音部材は、空気入りタイヤの断面高さに対する吸音部材の拡張後の径方向高さの割合が０．１５以上０．４５以下であるように形成されることが好ましい。
【００１６】
本構成によれば、空気入りタイヤの断面高さに対する吸音部材の拡張後の径方向高さの割合が適度に設定されるので、空洞共鳴音の抑制と生産性の向上を有効に図ることができる。前記割合が０．１５未満である場合、空気入りタイヤのタイヤ内面に取り付けられた吸音部材の体積量が少なく空洞共鳴音の抑制効果が十分に得られにくい。前記割合が０．４５より大きい場合、空気入りタイヤをホイールにリム組みする際にタイヤチェンジャーのアームやホイールなどに吸音部材が干渉して吸音部材の損傷や作業効率の低下などを引き起こし、空洞共鳴音の抑制効果や生産性の向上効果が十分に得られにくい。
【００１７】
前記切込部は、吸音部材の径方向一方側の面から径方向他方側に、吸音部材の径方向他方側の面との離間距離が少なくとも５ｍｍ以上であるように延びていることが好ましい。
【００１８】
本構成によれば、吸音部材が切込部の開口によって径方向に拡張されてタイヤ内面に取り付けられるときに、吸音部材が切込部から径方向に分断されることを抑制することができ、吸音部材の耐久性を向上させることができる。
【００１９】
前記切込部は、平面形状である二次元形状に形成される。
【００２０】
本構成によれば、吸音部材に切込部を比較的容易に形成することができ、生産性の向上を図ることができる。
【００２１】
前記切込部は、曲面形状である三次元形状に形成される。
【００２２】
本構成によれば、吸音部材が切込部の開口によって径方向に拡張されてタイヤ内面に取り付けられるときに、切込部が平面形状である二次元形状に形成される場合に比して、切込部の開口表面に形成される凹凸によって吸音部材の強度を向上させることができ、吸音部材の耐久性を向上させることができる。
【発明の効果】
【００２３】
本発明に係る空気入りタイヤの製造方法及び吸音部材によれば、空洞共鳴音を抑制すると共に生産性の向上を図ることができる。
【図面の簡単な説明】
【００２４】
【図１】本発明の実施形態に係る空気入りタイヤの縦断面図である。
【図２】本発明の実施形態に係る空気入りタイヤの横断面図である。
【図３】吸音部材の斜視図である。
【図４】吸音部材の正面図及び側面図である。
【図５】空気入りタイヤの製造方法を説明するための説明図である。
【図６】吸音部材の変形例の正面図及び側面図である。
【発明を実施するための形態】
【００２５】
以下、本発明の実施形態について添付図面を参照しながら説明する。
【００２６】
図１は、本発明の実施形態に係る空気入りタイヤの縦断面図、図２は、本発明の実施形態に係る空気入りタイヤの横断面図である。図１及び図２に示すように、本発明の実施形態に係るゴム製の空気入りタイヤ１は、ホイール２に組み付けられてホイール２と共に車輪を構成するものであり、環状に形成されている。空気入りタイヤ１のタイヤ内面１ａとホイール２のリム部２ａの外面とによってタイヤ内部（内腔）８が円環状に形成されている。
【００２７】
空気入りタイヤ１は、図２に示すように、タイヤ径方向外側に位置して路面に接するトレッド部３と、タイヤ径方向内側に位置してホイール２のリム部２ａに組み付けられる両側のビード部４と、トレッド部３と両側のビード部４との間にそれぞれ位置してタイヤ径方向に延びる両側のサイドウォール部５とを備える。
【００２８】
空気入りタイヤ１は、両側のビード部４間に図示しないカーカスが設けられると共に、前記カーカスのタイヤ内面側にタイヤ内面１ａを構成する図示しないインナーライナが設けられている。前記インナーライナは、空気圧を保持するためのものであり、空気の透過を防ぐゴムで形成されている。
【００２９】
空気入りタイヤ１のタイヤ内面１ａにはタイヤ周方向に延びる吸音部材１０が取り付けられている。吸音部材１０は、タイヤ周方向全体に亘ってタイヤ周方向に延びるように環状に形成されている。吸音部材１０は、タイヤ内面１ａに、具体的にはトレッド部３のタイヤ内面１ａにタイヤ周方向全体に亘って配置されている。
【００３０】
図３は、吸音部材の斜視図である。図４は、吸音部材の正面図及び側面図であり、図４（ａ）は、吸音部材の正面図、図４（ｂ）は、吸音部材の側面図である。図３及び図４では、空気入りタイヤのタイヤ内面に取り付けられる前の吸音部材を示している。
【００３１】
図３及び図４に示すように、吸音部材１０は、所定の内径Ｄ１を有して周方向及び軸方向に延びる内面１１と、所定の外径Ｄ２を有して周方向及び軸方向に延びる外面１２と、軸方向と直交する方向に延びる両側の側面１３とを備えて円筒状に形成されている。
【００３２】
吸音部材１０には、外面１２及び内面１１から内面側及び外面側にそれぞれ幅方向全体に亘って径方向に延びる複数の切込部２２，２１が設けられている。吸音部材１０には具体的には、外面１２から内面側に吸音部材１０の幅方向全体に亘って径方向に延びる複数の外側切込部２２と、内面１１から外面側に吸音部材１０の幅方向全体に亘って径方向に延びる複数の内側切込部２１とが設けられている。
【００３３】
外側切込部２２は、吸音部材１０の外面１２から内面側に向かって径方向に直線状に延びるスリットによって構成され、平面形状である二次元形状に形成されている。外側切込部２２は、吸音部材１０の外面１２から内面側に、径方向における吸音部材１０の内面１１との離間距離が少なくとも５ｍｍ以上であるように延びている。
【００３４】
内側切込部２１は、吸音部材１０の内面１１から外面側に向かって径方向に直線状に延びるスリットによって構成され、平面形状である二次元形状に形成されている。内側切込部２１は、吸音部材１０の内面１１から外面側に、径方向における吸音部材１０の外面１２との離間距離が少なくとも５ｍｍ以上であるように延びている。
【００３５】
吸音部材１０では、複数の外側切込部２２が周方向に等間隔に配置されると共に複数の内側切込部２１が周方向に等間隔に配置されている。外側切込部２２と内側切込部２１とは、吸音部材１０の周方向に交互に配置されている。外側切込部２２及び内側切込部２１はそれぞれ好ましくは、周方向に等間隔に配置されるが、周方向に等間隔に配置されていなくてもよい。また、外側切込部２２及び内側切込部２１はそれぞれ好ましくは、径方向に沿って直線状に延びるスリットによって構成されるが、径方向から傾斜して径方向に直線状に延びるスリットによって構成するようにしてもよい。
【００３６】
このように、吸音部材１０には複数の切込部２２，２１が設けられ、吸音部材１０は、複数の切込部２２，２１がそれぞれ周方向に開口されることにより径方向に拡張可能に形成されている。吸音部材１０は、図１及び図２に示すように、外面１２に接着剤が塗布された後に径方向に拡張されて空気入りタイヤ１のタイヤ内面１ａに取り付けられる。
【００３７】
吸音部材１０は、径方向に拡張される前に空気入りタイヤ１のタイヤ内部に挿入できるように外面１２が空気入りタイヤ１のビード部４の内径より小さい外径を有している。また、吸音部材１０は、図２に示すように、空気入りタイヤ１の断面高さＨ０に対する吸音部材１０の拡張後の径方向高さＨ１の割合が０．１５以上０．４５以下であるように形成されている。なお、空気入りタイヤ１の断面高さＨ０は、タイヤ幅Ｗ０に扁平率を乗じたものとして算出される。
【００３８】
このように、吸音部材１０は、空気入りタイヤの断面高さに対する吸音部材の拡張後の径方向高さの割合が０．１５以上０．４５以下であるように設定されるので、空洞共鳴音の抑制と生産性の向上を有効に図ることができる。前記割合が０．１５未満である場合、空気入りタイヤのタイヤ内面に取り付けられた吸音部材の体積量が少なく空洞共鳴音の抑制効果が十分に得られにくい。前記割合が０．４５より大きい場合、空気入りタイヤをホイールにリム組みする際にタイヤチェンジャーのアームやホイールなどに吸音部材が干渉して吸音部材の損傷や作業効率の低下などを引き起こし、空洞共鳴音の抑制効果や生産性の向上が十分に得られにくい。
【００３９】
吸音部材１０は、多孔質体であるスポンジから形成され、合成樹脂等を発泡させて連続気泡又は独立気泡を含むものである。スポンジからなる吸音部材１０は好ましくは、比重が０．０２１ｇ／ｃｍ３以上０．０２７ｇ／ｃｍ３以下のものが用いられる。吸音部材１０として、例えばポリウレタン系のスポンジを用いることができるが、種々のスポンジを用いることができる。吸音部材１０は、接着剤に代えて、両面テープなどの適宜の接合手段を用いてタイヤ内面１ａに取り付けることも可能である。
【００４０】
吸音部材１０は、空気入りタイヤ１のタイヤ幅方向最大幅であるタイヤ幅の３０％以上７０％以下のタイヤ幅方向長さを有するように形成されている。吸音部材１０のタイヤ幅方向長さをタイヤ幅の３０％以上より小さくすると空洞共鳴音の低減効果が小さくなる一方、タイヤ幅の７０％より大きくするとサイドウォール部５のタイヤ内面１ａに取り付けられてタイヤ内面１ａから剥離するおそれがある。
【００４１】
次に、このようにして構成される空気入りタイヤの製造方法について説明する。
【００４２】
図５は、空気入りタイヤの製造方法を説明するための説明図である。タイヤ内面１ａに吸音部材１０が取り付けられた空気入りタイヤ１を製造する際には、先ず、円筒状に形成されると共に外面１２及び内面１１から内面側及び外面側にそれぞれ径方向に延びる複数の切込部２２，２１が設けられて切込部２２，２１が周方向に開口されることにより径方向に拡張可能に形成された吸音部材１０と、環状に形成された空気入りタイヤ１とを準備する。
【００４３】
そして、図５（ａ）に示すように、吸音部材１０を径方向に拡張可能に構成された拡張装置としてドラム３０の周囲に吸音部材１０の内面１１を支持させてドラム３０に吸音部材１０を支持させる。
【００４４】
ドラム３０は、外周面を構成する複数のプレート３１と、外周面を径方向に拡張するように複数のプレート３１をそれぞれ径方向に移動させる径方向移動機構３２と、径方向移動機構３２を支持する本体部３３とを備え、本体部３３には中心軸３４が設けられている。
【００４５】
ドラム３０は、径方向移動機構３２を駆動させることにより複数のプレート３１を径方向に移動させて外周面を拡径及び縮径できるように構成されている。ドラム３０はまた、図示しない軸方向移動機構によって中心軸３４の軸方向に移動できるように構成されている。
【００４６】
空気入りタイヤ１は、図示しない保持機構によってドラム３０と軸方向が一致すると共にドラム３０と軸方向に離間した位置に保持される。
【００４７】
次に、ドラム３０に支持された吸音部材１０の外面１２に接着剤が塗布され、次いで、前記軸方向移動機構を駆動させることによりドラム３０を軸方向に移動させて吸音部材１０を空気入りタイヤ１の内部に挿入させる。吸音部材１０は、ドラム３０に支持された状態で空気入りタイヤ１のビード部４の内側を通じて空気入りタイヤ１の内部に挿入される。
【００４８】
吸音部材１０が空気入りタイヤ１の内部に挿入されると、図５（ｂ）に示すように、径方向移動機構３２を駆動させることにより複数のプレート３１を径方向に移動させてドラム３０の外周面を拡径させる。これにより、切込部２１，２２が周方向に開口されることにより吸音部材１０が径方向に拡張されて吸音部材１０が接着剤を介して空気入りタイヤ１のタイヤ内面１ａに取り付けられ、タイヤ内面１ａに吸音部材１０が取り付けられた空気入りタイヤ１が製造される。
【００４９】
なお、吸音部材１０がタイヤ内面１ａに取り付けられた後には、径方向移動機構３２を駆動させることによりドラム３０の外周面を縮径させ、次いで前記軸方向移動機構を駆動させることによりドラム３０を空気入りタイヤ１の内部から外側に移動させる。
【００５０】
このように、本実施形態に係る空気入りタイヤ１の製造方法は、円筒状に形成されると共に外面１２及び内面１１から内面側及び外面側にそれぞれ径方向に延びる複数の切込部２２，２１が設けられて切込部２２，２１が周方向に開口されることにより径方向に拡張可能に形成された吸音部材１０を準備し、吸音部材１０を空気入りタイヤ１の内部に挿入し、吸音部材１０を径方向に拡張させて空気入りタイヤ１のタイヤ内面１ａに取り付ける。
【００５１】
これにより、吸音部材１０は、切込部２２，２１が周方向に開口されることにより径方向に拡張されてタイヤ内面１ａに取り付けられるので、タイヤ内面１ａに吸音部材１０が取り付けられた空気入りタイヤ１は、略円筒状に形成された吸音部材１０によってタイヤ接地面からの振動が低減されてタイヤ接地面からの振動によって生じるタイヤ内部８の空気の振動による音が低減される。また、この低減されたタイヤ内部の空気の振動による音が放射状に伝播される際に、吸音部材１０の内面１１に形成された切込部２１が開口されることによってタイヤ周方向に形成される凹凸によっても音を低減することができ、空洞共鳴音を抑制することができる。
【００５２】
また、空気入りタイヤ１の製造時に、円筒状に形成されると共に外面１２及び内面１１から径方向に延びる複数の切込部２２，２１が設けられた吸音部材１０を空気入りタイヤ１の内部に挿入した後に、吸音部材１０を径方向に拡張させてタイヤ内面１ａに取り付けるので、比較的容易に製造することができ、生産性の向上を図ることができる。
【００５３】
本実施形態では、吸音部材１０に、外側切込部２２及び内側切込部２１がそれぞれ１６設けられているが、２つ又はそれ以上の外側切込部及び内側切込部を設けるようにしてもよい。かかる場合においても、外側切込部２２と内側切込部２１とは、吸音部材１０の周方向に交互に配置される。
【００５４】
前述したように、本実施形態に係る吸音部材１０は、円筒状に形成されると共に外面１２及び内面１１から内面側及び外面側にそれぞれ径方向に延びる複数の切込部２２，２１が設けられて切込部２２，２１が周方向に開口されることにより径方向に拡張可能に形成されている。
【００５５】
これにより、吸音部材１０を空気入りタイヤ１の内部に挿入した後に、吸音部材１０を径方向に拡張させてタイヤ内面１ａに取り付けて空気入りタイヤ１を製造することができる。タイヤ内面１ａに吸音部材１０が取り付けられた空気入りタイヤ１は、略円筒状に形成された吸音部材１０によってタイヤ接地面からの振動が低減されてタイヤ接地面からの振動によって生じるタイヤ内部の空気の振動による音が低減される。また、この低減されたタイヤ内部の空気の振動による音が放射状に伝播される際に、吸音部材１０の内面１１に形成された切込部２１が開口されることによってタイヤ周方向に形成される凹凸によっても音を低減することができ、空洞共鳴音を抑制することができる。
【００５６】
また、空気入りタイヤ１の製造時に、円筒状に形成された吸音部材１０を径方向に拡張可能に構成されたドラム３０に取り付けて空気入りタイヤ１の内部に挿入した後に径方向に拡張させることでタイヤ内面１ａに取り付けることができ、比較的容易に製造することができ、生産性の向上を図ることができる。
【００５７】
また、吸音部材１０は、空気入りタイヤ１のビード部４の内径より小さい外径を有する。これにより、吸音部材１０を空気入りタイヤ１の内部に吸音部材１０を変形することなしに挿入することができるので、吸音部材１０をタイヤ内面１ａに比較的容易に取り付けることができ、生産性の向上を図ることができる。
【００５８】
また、切込部２１，２２は、吸音部材１０の径方向一方側の面１１，１２から径方向他方側に、吸音部材１０の径方向他方側の面１２，１１との離間距離が少なくとも５ｍｍ以上であるように延びている。これにより、吸音部材１０が切込部２１，２２の開口によって径方向に拡張されてタイヤ内面１ａに取り付けられるときに、吸音部材１０が切込部２１，２２から径方向に分断されることを抑制することができ、吸音部材１０の耐久性を向上させることができる。
【００５９】
また、切込部２１，２２は、平面形状である二次元形状に形成される。これにより、吸音部材１０に切込部２１，２２を比較的容易に形成することができ、生産性の向上を図ることができる。
【００６０】
図６は、吸音部材の変形例の正面図及び側面図であり、図６（ａ）は、吸音部材の変形例の正面図、図６（ｂ）は、吸音部材の変形例の側面図である。図６（ａ）及び図６（ｂ）に示すように、タイヤ内面１ａに取り付けられる吸音部材１０´の切込部２１´，２２´を、軸方向両側では直線状に延びると共に軸方向中央側では波形状に延び、且つ径方向に同一形状を有する曲面形状である三次元形状に形成することも可能である。
【００６１】
図６に示す吸音部材１０´では、切込部２１´，２２´は径方向に同一形状を有する曲面形状である三次元形状に形成されているが、吸音部材に設けられる切込部を、軸方向及び径方向に形状が変化する曲面形状である三次元形状に形成することも可能である。
【００６２】
このように、切込部２１´，２２´は、曲面形状である三次元形状に形成されることにより、吸音部材１０´が切込部２１´，２２´の開口によって径方向に拡張されてタイヤ内面１ａに取り付けられるときに、切込部が平面形状である二次元形状に形成される場合に比して、切込部２１´，２２´の開口表面に形成される凹凸によって吸音部材１０´の強度を向上させることができ、吸音部材１０´の耐久性を向上させることができる。
【００６３】
本発明は、例示された実施の形態に限定されるものではなく、本発明の要旨を逸脱しない範囲において、種々の改良及び設計上の変更が可能である。
【符号の説明】
【００６４】
１  空気入りタイヤ
３  トレッド部
４  ビード部
１０，１０´  吸音部材
１１  内面
１２  外面
２１，２１´  内側切込部
２２，２２´  外側切込部
【図１】
2020097333.tif 000003
【図２】
2020097333.tif 000004
【図３】
2020097333.tif 000005
【図４】
2020097333.tif 000006
【図５】
2020097333.tif 000007
【図６】
2020097333.tif 000008